(57)【特許請求の範囲】
【請求項１】
複数の脚部材により所定の高さ位置に支持される天板支持部材と、
前記天板支持部材の上に載置される天板と、
前記天板の下方位置において前記複数の脚部材に着脱可能に支持される棚板とを備え、
前記天板支持部材は、互いに対向する一対の第１枠板およびもう一対の第２枠板により枠状に形成されるとともに、前記一対の第２枠板の上端部が前記一対の第１枠板の上端部よりも低く形成され、
前記天板は、前記一対の第１枠板の上端部に載置され、
前記複数の脚部材から取り外された前記棚板を、前記一対の第２枠板の上端部に載置して、前記一対の第１枠板の内面および前記天板の下面によって囲まれた棚板収納空間において前記棚板を収納可能に構成されたことを特徴とするこたつ用テーブル。
【請求項２】
前記複数の脚部材はそれぞれ、前記棚板を支持する位置に形成された第１金具取付孔、および前記第１金具取付孔の上方位置に形成された第２金具取付孔を有し、
前記棚板は、前記複数の第１金具取付孔にそれぞれ着脱可能に取り付けられた棚板支持金具により前記複数の脚部材に支持され、
前記複数の棚板支持金具はそれぞれ前記複数の第２金具取付孔に付け替え可能であり、
前記棚板収納空間に収納された前記棚板は、前記複数の第２金具取付孔にそれぞれ取り付けられた前記棚板支持金具により、前記一対の第１枠板が延びる方向に移動することが規制されることを特徴とする請求項１に記載のこたつ用テーブル。
【請求項３】
前記棚板は、前記天板よりも平面視における寸法が小さく形成されることを特徴とする請求項１または２に記載のこたつ用テーブル。
【発明の詳細な説明】
【技術分野】
【０００１】
本発明は、季節に応じて通常のテーブルとしても使用可能なこたつ用テーブルに関する。
【背景技術】
【０００２】
こたつ用テーブルは、複数の脚部材により所定の高さ位置に支持される枠部材（やぐら）の上にこたつ用布団を掛け、そのこたつ用布団の上に天板を載せ、枠部材に設けられた電気ヒーターによりこたつ用布団の中が暖められて暖房器具（こたつ）として使用される。このようなこたつ用テーブルには、暖かい季節になると、こたつ用布団を取り外して通常のテーブルとしても使用可能に構成されたものがある。ところで、通常のテーブルでは、天板の下方位置において複数の脚部材に支持される棚板を有し、この棚板により収納力や使い勝手を向上させたものがある。しかしながら、こたつ用テーブルの場合には、このような棚板は、こたつとして使用する場合に、脚を入れるときの邪魔になったり、ヒーターによる暖房効率を下げる要因となる。そこで、複数の脚部材から取り外した棚板を、天板の下の枠部材（やぐら）の中に収納可能に構成されたこたつ用テーブルが知られている（例えば、特許文献１を参照）。
【先行技術文献】
【特許文献】
【０００３】
【特許文献１】特開２０１１‐２４７４３１号公報
【発明の概要】
【発明が解決しようとする課題】
【０００４】
上記のように枠部材（やぐら）の中に棚板を収納可能に構成されたこたつ用テーブルでは、棚板の大きさや形状が、枠部材内に収納可能な大きさや形状に限定される。そのため、棚板のデザイン自由度が低く、通常のテーブル（棚付きテーブル）として使用する際のテーブル全体のデザイン性を向上させることが難しいという問題があった。
【０００５】
本発明はこのような課題に鑑みてなされたものであり、棚板のデザイン自由度を向上させることができ、テーブル全体のデザイン性を向上させることができるこたつ用テーブルを提供することを目的とする。
【課題を解決するための手段】
【０００６】
上記目的を達成するため、本発明に係るこたつ用テーブルは、複数の脚部材により所定の高さ位置に支持される天板支持部材と、前記天板支持部材の上に載置される天板と、前記天板の下方位置において前記複数の脚部材に着脱可能に支持される棚板とを備える。そして、前記天板支持部材は、互いに対向する一対の第１枠板（例えば、実施形態における前後の側板１２）およびもう一対の第２枠板（例えば、実施形態における左右の枠板１６）により枠状に形成されるとともに、前記一対の第２枠板の上端部が前記一対の第１枠板の上端部よりも低く形成され、前記天板は、前記一対の第１枠板の上端部に載置される。そして、前記複数の脚部材から取り外された前記棚板を、前記一対の第２枠板の上端部に載置して、前記一対の第１枠板の内面および前記天板の下面によって囲まれた棚板収納空間において前記棚板を収納可能に構成される。
【０００７】
上記構成のこたつ用テーブルにおいて、前記複数の脚部材はそれぞれ、前記棚板を支持する位置に形成された第１金具取付孔、および前記第１金具取付孔の上方位置に形成された第２金具取付孔を有し、前記棚板は、前記複数の第１金具取付孔にそれぞれ着脱可能に
取り付けられた棚板支持金具により前記複数の脚部材に支持される。そして、前記複数の棚板支持金具はそれぞれ前記複数の第２金具取付孔に付け替え可能であり、前記棚板収納空間に収納された前記棚板は、前記複数の第２金具取付孔にそれぞれ取り付けられた前記棚板支持金具により、前記一対の第１枠板が延びる方向に移動することが規制されるように構成されることが好ましい。
【０００８】
また、上記構成のこたつ用テーブルにおいて、前記棚板は、前記天板よりも平面視における寸法が小さく形成されることが好ましい。
【発明の効果】
【０００９】
本発明に係るこたつ用テーブルによれば、天板支持部材が、互いに対向する一対の第１枠板およびもう一対の第２枠板により枠状に形成されるとともに、一対の第２枠板の上端部が一対の第１枠板の上端部よりも低く形成され、複数の脚部材から取り外された棚板を、一対の第２枠板の上端部に載置して、一対の第１枠板の内面および天板の下面によって囲まれた棚板収納空間において棚板を収納可能に構成される。このように本発明に係るこたつ用テーブルでは、従来のように棚板が枠部材（やぐら）の中に収納される構成ではないので、棚板の大きさや形状が、枠部材内に収納可能な大きさや形状に限定されない。そのため、例えば、棚板の寸法を小さくすることなく、棚板の端部を天板と同じ曲線形状に揃えたデザインにすることができる等、棚板のデザイン自由度を向上させることができる。従って、通常のテーブル（棚付きテーブル）として使用する際のテーブル全体のデザイン性を向上させることができる。
【００１０】
また、上記構成のこたつ用テーブルにおいて、複数の脚部材にそれぞれ第１金具取付孔および第２金具取付孔が形成され、棚板は、複数の第１金具取付孔にそれぞれ着脱可能に取り付けられた棚板支持金具により複数の脚部材に支持される。そして、複数の棚板支持金具がそれぞれ複数の第２金具取付孔に付け替え可能であり、棚板収納空間に収納された棚板が、複数の第２金具取付孔にそれぞれ取り付けられた棚板支持金具により、第１枠板が延びる方向に移動することが規制される構成とすれば、棚板が棚板収納空間内においてずれて動くことを防止でき、棚板を安定した状態で収納することができる。また、こたつとして使用するときの棚板支持金具の紛失を防ぐことができる。なお、第２枠板が延びる方向への棚板の移動は、棚板が一対の第１枠板の内面に挟まれていることにより規制される。
【００１１】
また、上記構成のこたつ用テーブルにおいて、棚板が、天板よりも平面視における寸法が小さく形成される構成とすれば、棚板を棚板収納空間に収納したときに、棚板の端部が天板の端部よりも突出するようなことがない。
【図面の簡単な説明】
【００１２】
【図１】本発明に係るこたつ用テーブルを示す図であり、（ａ）は斜視図、（ｂ）は平面図である。
【図２】本発明に係るこたつ用テーブルを示す図であり、（ａ）は正面図、（ｂ）は側面図である。
【図３】本発明に係るこたつ用テーブルを構成する天板支持部材の分解斜視図である。
【図４】本発明に係るこたつ用テーブルを構成する天板を取り外した状態を示す斜視図である。
【図５】本発明に係るこたつ用テーブルを構成する棚板を棚板収納空間に載置した状態を示す斜視図である。
【図６】上記棚板収納空間に載置された棚板の上に天板を載置して棚板を収納した状態を示す斜視図である。
【発明を実施するための形態】
【００１３】
以下、図面を参照して本発明の好ましい実施形態について説明する。本発明に係るこたつ用テーブル１は、図１および図２に示すように、４つの脚部材１１により所定の高さ位置に支持される天板支持部材１０と、天板支持部材１０の上に載置される天板２０と、天板２０の下方位置において４つの脚部材１１に着脱可能に支持される棚板３０とを備えて構成される。なお、本実施形態では、図１および図２等に示す各矢印の方向をそれぞれ、上下方向、前後方向、左右方向と称して説明する。
【００１４】
天板支持部材１０は、図３に示すように、上下方向に若干斜めに延びる前後左右４つの脚部材１１と、４つの脚部材１１の上部に取り付けられる枠部材１５（やぐら）とを有して構成される。前側左右の脚部材１１は、左右方向に延びる前側板１２により互いの上部が連結されて一体に形成されている。また、後側左右の脚部材１１も、左右方向に延びる後側板１２により互いの上部が連結されて一体に形成されている。なお、左右の脚部材１１と側板１２は、互いの上面が略同一平面となるように連結されている。４つの脚部材１１の上部にはそれぞれ、前後に貫通した２つのボルト挿通孔１１ａが上下に並んで形成されている。
【００１５】
４つの脚部材１１の前後に対向する面にはそれぞれ、上下方向の略中間位置（棚板３０を支持する位置）に第１金具取付孔１３が形成されており、第１金具取付孔１３内には雌ネジ部材（図示せず）が固設されている。また、４つの脚部材１１の前後に対向する面にはそれぞれ、第１金具取付孔１３の上方位置（ボルト挿通孔１１ａより上方位置）に第２金具取付孔１４が形成されており、第２金具取付孔１４内にも雌ネジ部材（図示せず）が固設されている。これらの第１および第２金具取付孔１３，１４はそれぞれ、円柱形状で一端側に雄ネジが形成された棚板支持金具５（図２（ｂ）を参照）を着脱可能に取り付けることができるようになっている。
【００１６】
枠部材１５は、前後方向に延びる左右一対の枠板１６と、左右方向に延びて左右の枠板１６に跨設される前後一対の枠板１７とを有して構成される。左右の枠板１６の前後面にはそれぞれ、２つのボルト挿入孔１６ａが上下に並んで形成されており、２つのボルト挿入孔１６ａ内にはそれぞれナット部材（図示せず）が固設されている。左右の枠板１６の左右に対向する面にはそれぞれ天板固定ネジ１８が設けられている。前後の枠板１７の左右方向の略中間位置には、前後の枠板１７に一対の枠板１９ａが跨設され、これらの枠板１９ａおよび前後の枠板１７に囲まれた空間を塞ぐように平板１９ｂが設けられており、この平板１９ｂの下面に電気ヒーター（図示せず）が取り付けられている。後枠板１７の左側上面には、電気ヒーターの電源コードを通すためのコード挿通溝１７ａが形成されている。
【００１７】
このように構成された天板支持部材１０では、４つの脚部材１１のそれぞれにおいて、２つのボルト挿通孔１１ａにそれぞれ脚取付ボルト３を挿入し、それらの脚取付ボルト３の先端部をそれぞれ左右の枠板１６のボルト挿入孔１６ａに挿入し、それらの脚取付ボルト３をそれぞれボルト挿入孔１６ａ内のナット部材に螺合させてドライバーで締め付けることにより、前後左右の脚部材１１および前後の側板１２がそれぞれ枠部材１５の前後に取り付けられる。このとき、図２（ｂ）および図４に示すように、枠部材１５（左右の枠板１６および前後の枠板１７）の上面（上端部）が、前後左右の脚部材１１および前後の側板１２の上面（上端部）よりも低くなるように構成されている。この低くなる高さ寸法は、棚板３０の厚さ寸法以上となるように設定されており、この段差部分において棚板３０を収納することができるように構成されている。この棚板３０の収納については後段において詳しく説明する。
【００１８】
天板２０は、図１および図２に示すように、略矩形の平板部材であり、左右の側部がそれぞれ外方に若干膨らんだ曲線状に形成されている。天板２０の上面周縁部は面取り加工が施されている。天板２０の下面には、枠部材１５の２つの天板固定ネジ１８に対応する位置に、ネジ挿入孔（図示せず）が形成されており、そのネジ挿入孔内に雌ネジ部材が固設されている。天板２０は、天板支持部材１０における前後左右の脚部材１１および前後の側板１２の上面（上端部）に載置され、枠部材１５の２つの天板固定ネジ１８を天板２０の下面のネジ挿入孔内の雌ネジ部材に螺合させることにより、天板支持部材１０上に固定される。このとき、図２（ｂ）に示すように、天板２０の下面と枠部材１５（左右の枠板１６および前後の枠板１７）の上面（上端部）との間に、棚板３０を収納するための隙間（棚板収納空間）が形成されるようになっている。
【００１９】
棚板３０は、略矩形の平板部材であり、平面視における前後左右寸法が天板２０の前後左右寸法よりも一回り小さく形成されている。また、棚板３０は、天板支持部材１０の前後の脚部材１１の間に入る前後寸法、および左右の脚部材１１から左右端部が若干突出する左右寸法に形成されている。さらに、棚板３０の左右の側部はそれぞれ、上記天板２０の左右側部と同様に、外方に若干膨らんだ曲線状に形成されている。棚板３０の下面の四隅にはそれぞれ、前方もしくは後方に開口した金具挿入溝３１が形成されている。棚板３０は、これらの金具挿入溝３１にそれぞれ脚部材１１の第１金具取付孔１３に取り付けられた棚板支持金具５を挿入させることにより、天板支持部材１０の枠部材１５の下方位置において４つの脚部材１１に着脱可能に支持されるようになっている。
【００２０】
このように構成されるこたつ用テーブル１を、こたつ（暖房器具）として使用する場合について説明する。この場合には、図４に示すように、初めに天板支持部材１０の２つの天板固定ネジ１８と天板２０下面の雌ネジ部材との螺合を解除して、天板２０を天板支持部材１０の上から取り外すとともに、棚板３０を少し持ち上げて４つの脚部材１１（第１金具取付孔１３に取り付けられた棚板支持金具５）から取り外す。続いて、４つの脚部材１１の第１金具取付孔１３にそれぞれ取り付けられている棚板支持金具５を第１金具取付孔１３から取り外し、それらの棚板支持金具５をそれぞれ第２金具取付孔１４に付け替える。
【００２１】
次に、図５に示すように、棚板３０を天板支持部材１０の枠部材１５（左右の枠板１６および前後の枠板１７）の上面（上端部）に載置する。このとき、棚板３０下面の４つの金具挿入溝３１にそれぞれ脚部材１１の第２金具取付孔１４に取り付けられた棚板支持金具５が挿入されることにより、棚板３０が枠部材１５上を左右方向（左右の枠板１６が延びる方向）にずれて動くことが規制される。また、棚板３０の前後側部が天板支持部材１０の前後の側板１２によって挟まれた状態となり、これにより棚板３０が枠部材１５上を前後方向にずれて動くことが規制される。このように棚板３０は、天板２０の下面、前後の側板１２の内面および枠部材１５の上面によって形成される棚板収納空間において収納される。このとき、棚板３０の左右端部はそれぞれ左右の枠板１６よりも左右方向に突出する状態となっている。続いて、図６に示すように、棚板３０の上にこたつ用布団（図示せず）を掛け、そのこたつ用布団の上に天板２０を載置することにより、こたつ（暖房器具）として使用される。
【００２２】
なお、こたつ用テーブル１を通常のテーブルとして使用する場合には、棚板３０を上記棚板収納空間に収納したまま使用してもよい。また、４つの棚板支持金具５をそれぞれ脚部材１１の第１金具支持取付孔１３に付け替えることにより、棚板３０を天板支持部材１０の枠部材１５の下方位置において４つの脚部材１１に支持させ、棚付きテーブルとして使用してもよい。
【００２３】
以上のように構成されたこたつ用テーブル１によれば、天板支持部材１０において、枠
部材１５（左右の枠板１６および前後の枠板１７）の上面（上端部）が、前後左右の脚部材１１および前後の側板１２の上面（上端部）よりも低くなるように構成されている。そして、４つの脚部材１１から取り外した棚板３０を、枠部材１５（左右の枠板１６および前後の枠板１７）の上面に載置して、天板２０の下面、前後の側板１２の内面および枠部材１５の上面によって形成される棚板収納空間において棚板３０を収納可能に構成されている。このようにこたつ用テーブル１では、従来のように棚板を枠部材（やぐら）の中に収納する構成ではないので、棚板３０の大きさや形状が、枠部材１５内に収納可能な大きさや形状に限定されない。そのため、例えば、棚板３０の左右寸法を小さくすることなく、上述したように棚板３０の左右側部を天板２０と同じ曲線形状に揃えたデザインにすることができる等、棚板３０のデザイン自由度を向上させることができる。従って、通常のテーブル（棚付きテーブル）として使用する際のテーブル全体のデザイン性を向上させることができる。
【００２４】
また、こたつ用テーブル１では、上記棚板収納空間に収納された棚板３０が、４つの脚部材１１のそれぞれにおいて第１金具取付孔１３から第２金具取付孔１４に付け替えられた棚板支持金具５により、棚板３０が枠部材１５上を左右方向（左右の枠板１６が延びる方向）にずれて動くことが規制される構成となっている。また、棚板３０の前後側部が天板支持部材１０の前後の側板１２によって挟まれた状態となり、これにより棚板３０が枠部材１５上を前後方向にずれて動くことが規制される構成となっている。そのため、棚板３０が棚板収納空間内においてずれて動くことを防止でき、棚板３０を安定した状態で収納することができる。また、こたつとして使用するときの棚板支持金具５の紛失を防ぐことができる。
【００２５】
また、こたつ用テーブル１では、棚板３０が、天板２０よりも平面視における前後左右寸法が一回り小さく形成されている。そのため、棚板３０を上記棚板収納空間に収納したときに、棚板３０の端部が天板２０の端部よりも突出するようなことがない。
【００２６】
なお、上述の実施形態では、天板２０が、天板支持部材１０における前後左右の脚部材１１および前後の側板１２の上面に載置され、枠部材１５（左右の枠板１６および前後の枠板１７）の上面が、前後左右の脚部材１１および前後の側板１２の上面よりも低くなるように構成されているが、天板２０が枠部材１５の上面に載置される構成としもよい。そして、その場合には、枠部材１５の左右の枠板１６の上面が、前後の枠板１７の上面よりも低くなるように構成し、その段差部分によって形成される棚板収納空間に棚板３０を収納可能な構成としてもよい。
【符号の説明】
【００２７】
１    こたつ用テーブル
５    棚板支持金具
１０  天板支持部材
１１  脚部材
１２  前後の側板（一対の第１枠板）
１３  第１金具取付孔
１４  第２金具取付孔
１５  枠部材
１６  左右の枠板（一対の第２枠板）
２０  天板
３０  棚板
【図１】
0006670057.tif 000002
【図２】
0006670057.tif 000003
【図３】
0006670057.tif 000004
【図４】
0006670057.tif 000005
【図５】
0006670057.tif 000006
【図６】
0006670057.tif 000007